(57)【要約】【課題】原水を濾過して浄水を生成する水浄化装置のコンパクト化を図ることができ、衛生的かつ経済的な水浄化装置を実現する。【解決手段】水浄化装置２は、原水を濾過して浄水を生成するものであり、原水が貯留される水浄化装置用容器１と、水浄化装置用容器１が着脱可能に設けられる装置本体４１とを備える。水浄化装置用容器１は、原水の貯留容器３と、原水を濾過する濾過体４とを有している。装置本体４１は、浄水を水浄化装置２の外部へ注出する浄水路５１と、浄水路５１に設けられるポンプ５２とを有している。水浄化装置２は、ポンプ５２の作動によって、貯留容器３内の原水が濾過体４に通されて浄水とされ、この浄水が貯留容器３に形成された排出口３７から浄水路５１を介して水浄化装置２の外部へ注出されるように、貯留容器３が排出口３７を介して浄水路５１に連通される。【選択図】図１
2019122924.tif 000002
【特許請求の範囲】
【請求項１】
原水を濾過して浄水を生成する水浄化装置に用いられ、前記原水が貯留される水浄化装置用容器であって、
前記原水が貯留される貯留容器と、
前記貯留容器内に設けられ、前記原水を濾過して前記浄水にする濾過体とを備え、
前記水浄化装置は、前記浄水を前記水浄化装置の外部へ注出する浄水路と、前記浄水路に設けられるポンプとを有しており、
前記ポンプの作動によって、前記貯留容器内の前記原水が前記濾過体に通されて前記浄水とされ、前記浄水が前記貯留容器に形成された排出口から前記浄水路を介して前記水浄化装置の外部へ注出されるように、前記貯留容器が前記排出口を介して前記浄水路に連通される
ことを特徴とする水浄化装置用容器。
【請求項２】
前記濾過体は、前記原水を濾過する濾過材と、前記原水を透水可能な透水部を有する中空状に形成されて内部に前記濾過材が収容される収容部とを有し、
前記収容部には、透水された前記原水を前記濾過材に通して生成される前記浄水を外部へ導出する筒状の導出口が形成されており、
前記導出口が前記排出口に着脱可能にねじ込まれて、前記濾過体が前記貯留容器に設けられる
ことを特徴とする請求項１に記載の水浄化装置用容器。
【請求項３】
請求項１または請求項２に記載の水浄化装置用容器と、
前記浄水路および前記ポンプを有し、前記水浄化装置用容器が着脱可能に設けられる装置本体と
を備えることを特徴とする水浄化装置。
【請求項４】
前記装置本体は、前記浄水を加熱するヒータをさらに有する
ことを特徴とする請求項３に記載の水浄化装置。
【発明の詳細な説明】
【技術分野】
【０００１】
本発明は、水道水などの原水を濾過する水浄化装置の原水の貯留容器である水浄化装置用容器に関するものである。また、そのような水浄化装置用容器を有する水浄化装置に関するものである。
【背景技術】
【０００２】
下記特許文献１には、原水が収容される第１水槽と、第１水槽の下方に配置される第２水槽と、第１水槽内に配置されるセラミックフィルターと、第２水槽内に配置されるゼオライトフィルターとを備える水浄化装置が開示されている。この水浄化装置は、第１水槽内の原水をその自重によりセラミックフィルターおよびゼオライトフィルターに通すことで、原水中の放射性物質を除去することができ、放射性物質が除去された水を第２水槽内に収容することができる。そして、第２水槽内に収容された水は、蛇口を利用して外部へ取り出すことができる。
【先行技術文献】
【特許文献】
【０００３】
【特許文献１】特許第５７６１６３８号公報
【発明の概要】
【発明が解決しようとする課題】
【０００４】
しかしながら、従来の水浄化装置は、セラミックフィルターおよびゼオライトフィルターからなる濾過材を通した水を収容する第２水槽が必要であるので、装置全体として大型化するという問題がある。また、従来の水浄化装置は、濾過材を通した水を第２水槽内に長期間収容した場合、第２水槽内の水に藻が発生するおそれがあり、せっかく放射性物質を除去しても、第２水槽内の水を廃棄しなければならず、無駄が生じる。さらに、従来の水浄化装置は、第２水槽を有するので、第２水槽を清掃する手間と時間がかかることになる。
【０００５】
本発明は、このような問題に鑑みてなされたものであり、その主たる目的は、原水を濾過して浄水を生成する水浄化装置の原水の貯留部である水浄化装置用容器であって、水浄化装置のコンパクト化を図ることができ、衛生的かつ経済的な水浄化装置を実現することができる水浄化装置用容器を提供することにある。また、そのような水浄化装置用容器を備える水浄化装置を提供することを課題とする。
【課題を解決するための手段】
【０００６】
上記目的を達成するための本発明に係る水浄化装置用容器は、原水を濾過して浄水を生成する水浄化装置に用いられ、前記原水が貯留される水浄化装置用容器であって、前記原水が貯留される貯留容器と、前記貯留容器内に設けられ、前記原水を濾過して前記浄水にする濾過体とを備え、前記水浄化装置は、前記浄水を前記水浄化装置の外部へ注出する浄水路と、前記浄水路に設けられるポンプとを有しており、前記ポンプの作動によって、前記貯留容器内の前記原水が前記濾過体に通されて前記浄水とされ、前記浄水が前記貯留容器に形成された排出口から前記浄水路を介して前記水浄化装置の外部へ注出されるように、前記貯留容器が前記排出口を介して前記浄水路に連通されることを特徴とする。
【０００７】
さらに、本発明に係る水浄化装置用容器は、前記濾過体は、前記原水を濾過する濾過材と、前記原水を透水可能な透水部を有する中空状に形成されて内部に前記濾過材が収容される収容部とを有し、前記収容部には、透水された前記原水を前記濾過材に通して生成される前記浄水を外部へ導出する筒状の導出口が形成されており、前記導出口が前記排出口に着脱可能にねじ込まれて、前記濾過体が前記貯留容器に設けられることを特徴とする。
【０００８】
上記目的を達成するための本発明に係る水浄化装置は、前記水浄化装置用容器と、前記浄水路および前記ポンプを有し、前記水浄化装置用容器が着脱可能に設けられる装置本体とを備えることを特徴とする。
【０００９】
さらに、本発明に係る水浄化装置は、前記装置本体は、前記浄水を加熱するヒータをさらに有することを特徴とする。
【発明の効果】
【００１０】
本発明に係る水浄化装置用容器によれば、貯留容器内に濾過体が設けられ、貯留容器が浄水路に連通されるので、浄水路を介して浄水を装置の外部へ取り出すことができる。これにより、従来は必要であった浄水の貯留部を省略することができる。
【００１１】
さらに、本発明に係る水浄化装置用容器によれば、濾過体が貯留容器に着脱可能にねじ込まれて設けられるので、濾過体の交換を容易に行うことができる。
【００１２】
本発明に係る水浄化装置によれば、上記作用効果を奏する水浄化装置を実現することができる。
【００１３】
さらに、本発明に係る水浄化装置によれば、ヒータを有するので、加熱された浄水を取り出すことができる。
【図面の簡単な説明】
【００１４】
【図１】本発明の水浄化装置用容器およびこれを用いた水浄化装置の一実施例を示す概略右側面図であり、一部を断面にして示している。
【図２】図１におけるＡ部の拡大図である。
【図３】図１の水浄化装置の概略分解斜視図である。
【発明を実施するための形態】
【００１５】
以下、本発明の具体的実施例を図面に基づいて詳細に説明する。
【００１６】
図１は、本発明の水浄化装置用容器と、この水浄化装置用容器を原水の貯留部とする水浄化装置との一実施例を示す概略構成図である。本実施例の水浄化装置用容器１は、水道水などの原水を濾過して浄水を生成する水浄化装置２に用いられ、原水が貯留されるものである。この水浄化装置用容器１は、原水が貯留される貯留容器３と、貯留容器３内に設けられる濾過体４とを備える。
【００１７】
貯留容器３は、上方へ開口する平面視略四角形の筒状であり、前後長さおよび左右長さが徐々に大きくなるように形成されている。また、貯留容器３は、前後長さおよび左右長さが段階的に大きくなるように形成されて、下端側から順に、小筒部５および大筒部６が形成されている。
【００１８】
小筒部５は、上方へ開口する有底角筒状に形成されている。小筒部５の板状の底壁部は、貯留容器３の底壁部であり、中央部が略円柱状に下方へ凹んで形成されている。すなわち、貯留容器３の底壁部の中央部には、上方へ開口して略円柱状の凹部７が形成されている。凹部７の底部の中央部には、下方へ突出して略円筒状のボス部８が一体形成されている。ボス部８の内穴は、凹部７の底部をも貫通して形成され、貯留容器３の内外を連通させている。小筒部５の下端部の左右両端部には、下方へ延出して底面視略Ｌ字形状の脚部９が一体形成されている。
【００１９】
大筒部６は、上下方向へ開口する角筒状に形成されており、後壁部が小筒部５の後壁部よりも後方へ膨出して形成されている。また、大筒部６は、左壁部が小筒部５の左壁部よりも左方へ膨出して形成されていると共に、右壁部が小筒部５の右壁部よりも右方へ膨出して形成されている。すなわち、大筒部６の後壁部と小筒部５の後壁部との間、大筒部６の左壁部と小筒部５の左壁部との間、および大筒部６の右壁部と小筒部５の右壁部との間にはそれぞれ、段付き部１０，１１，１２が形成されており、これらの段付き部１０，１１，１２が連続して形成されている。大筒部６の後壁部には、左右方向略中央部が内方へ凹んで凹部１３が形成されている。大筒部６の左右両壁部にはそれぞれ、前後方向略中央部が内方へ凹んで溝部１４が形成されている。両溝部１４，１４は、上下方向へ開口して形成されている。大筒部６の前壁部の上端部は、前方へ膨出して形成されており、この膨出部１５の下端部には、左右方向へ離隔して突出部１６が下方へ突出して形成されている。
【００２０】
図１および図３に示されるように、貯留容器３の上端部内面には、貯留容器３を持ち上げたり運んだりする際などに用いられる取っ手１７が設けられる。取っ手１７は、正面視略コ字形状に形成されており、左側の開放両端片が大筒部６の左壁部の溝部１４に左右方向へ沿う軸まわりに回動可能に設けられると共に、右側の開放両端片が大筒部６の右壁部の溝部１４に左右方向へ沿う軸まわりに回動可能に設けられる。この取っ手１７は、畳んだ状態において、大筒部６の後壁部の凹部１３により形成された段付き部１８に載せ置かれて、貯留容器３内に収容される。この状態において、貯留容器３には、その上端側開口を閉じる蓋部１９が着脱可能に設けられる。蓋部１９は、下方へ開口した短角筒状に形成されており、内部に貯留容器３の上端部が差し込まれるようにして、貯留容器３の上端部に載せ置かれる。
【００２１】
濾過体４は、原水を濾過して浄水にするものであり、原水を濾過する濾過材２０と、中空状に形成されて内部に濾過材２０が収容される収容部２１とを備える。本実施例では、濾過材２０は、ゼオライトからなる複数の球状の第一濾材２２と、粉末状の活性炭からなる第二濾材２３とを有している。収容部２１は、上下方向へ開口した筒状の本体部２４と、本体部２４の上端側開口を閉じる上蓋部２５と、本体部２４の下端側開口を閉じる下蓋部２６とを有している。
【００２２】
本体部２４は、厚肉の略円筒状に形成されており、軸方向が上下方向へ沿うようにして配置される。上蓋部２５は、下方へ開口した短円筒状に形成されており、内部に本体部２４の上端部が差し込まれるようにして本体部２４の上端部に固定され、本体部２４の上端側開口を閉じることができる。下蓋部２６は、上方へ開口した短円筒状に形成されており、内部に本体部２４の下端部が差し込まれるようにして本体部２４の下端部に固定され、本体部２４の下端側開口を閉じることができる。下蓋部２６の底壁部の中央部には、下方へ突出して略円筒状のボス部２７が一体形成されている。ボス部２７の内穴は、下蓋部２６の底壁部をも貫通して形成されている。このようにして、収容部２１は、ボス部２７の内穴が内外を連通させる。すなわち、ボス部２７は、収容部２１内の水の外部への導出口とされる。筒状の導出口（ボス部２７）の外周面下部には、ネジ山２８が形成されている。このような構成の収容部２１は、内部に貯留容器３内の原水を導入できるように、原水を透水可能な透水部を有している。本実施例では、本体部２４がセラミックから形成されて前記透水部とされる。
【００２３】
収容部２１の内部には、複数の球状の第一濾材２２が収容部２１の下部に充填され、その上部に粉末状の第二濾材２３が充填されて、濾過材２０が収容される。本実施例では、充填された第一濾材２２の高さが本体部２４全体の高さの約２０％とされ、充填された第二濾材２３の第一濾材２２上端からの高さが本体部２４全体の高さの８０％とされる。なお、収容部（下蓋部２６）２１の底壁部内面には、前記導出口２７の上端部を覆うようにして、カーボンからなる板状のフィルタ２９が設けられる。
【００２４】
図１および図２に示されるように、収容部２１は、取付部材３０を介して、貯留容器３内に着脱可能に設けられる。取付部材３０は、下方へ開口する短円筒状であり、上壁部の中央部に下方へ突出して略円筒状のボス部３１が一体形成されている。ボス部３１の内穴は、取付部材３０の上壁部をも貫通して形成されている。ボス部３１の内周面下部には、前記導出口２７がねじ込まれるネジ穴３２とされている。また、取付部材３０の上壁部には、複数（本実施例では六つ）の円筒部３３が下方へ突出して形成されている。複数の円筒部３３は、取付部材３０に周方向等間隔に形成されており、それぞれの内穴がネジ穴とされている。
【００２５】
取付部材３０は、貯留容器３の底壁部の内面に載せ置かれた状態で、ネジ３４により貯留容器３に固定される。図２に示されるように、貯留容器３の底壁部に形成された凹部７の底部内面の外周縁部には、円環状の溝部３５が形成されている。また、貯留容器３の底壁部の中央部には、上方へ突出して略円筒状のボス部３６が形成されている。このボス部３６の内穴は、貯留容器３の底部に下方へ突出して形成されたボス部８の内穴と連通されている。
【００２６】
そして、取付部材３０のボス部３１が貯留容器３に上方へ突出して形成されたボス部３６内に差し込まれると共に、取付部材３０の外周壁の下端部が貯留容器３の溝部３５に差し込まれるようにして、取付部材３０が貯留容器３の底壁部の凹部７に差し込まれる。この差込状態において、貯留容器３の底壁部を介して取付部材３０に形成された円筒部３３のネジ穴にネジ３４がねじ込まれることで、取付部材３０が貯留容器３に着脱可能に取り付けられる。これにより、貯留容器３に下方へ突出して形成されたボス部８の内穴と取付部材３０のボス部３１の内穴とが互いに連通されて、貯留容器３にその内部の水を外部へ排出する筒状の排出口３７が形成される。この際、取付部材３０のボス部３１の外周面と貯留容器３のボス部３６の内周面との間がＯリングなどのパッキン３８にて封止されると共に、取付部材３０の外周壁の外周面と貯留容器３の凹部７の内周面との間がＯリングなどのパッキン３９にて封止される。
【００２７】
一方、濾過体４は、その収容部２１のボス部２７が取付部材３０のボス部３１内にねじ込まれて、取付部材３０に取り付けられる。すなわち、筒状の導出口２７が筒状の排出口３７に着脱可能にねじ込まれて、濾過体４が貯留容器３に設けられる。これにより、収容部２１のボス部２７の内穴と貯留容器３のボス部８の内穴とが互いに連通される。この際、収容部２１のボス部２７の外周面と取付部材３０のボス部３１の内周面との間は、Ｏリングなどのパッキン４０にて封止される。このようにして、収容部２１を有する濾過体４は、取付部材３０を介して、貯留容器３の底壁部の内面に着脱可能に取り付けられる。
【００２８】
本実施例の水浄化装置２は、前述した水浄化装置用容器１と、水浄化装置用容器１が設けられる装置本体４１とを備える。装置本体４１は、水浄化装置用容器１が保持される容器保持部４２と、容器保持部４２に設けられる浄水操作部４３とを有している。
【００２９】
容器保持部４２は、側面視略Ｌ字形状に形成されており、上下方向へ沿って配置される垂直部４４と、垂直部４４から後方へ延出して形成される水平部４５とを有している。垂直部４４は、中空状で正面視略四角形状に形成されている。垂直部４４の後端部には、下方へ凹んで段部４６が形成されている。この段部４６には、大筒部６の膨出部１５の下端部に形成された突出部１６が差し込まれる凹部４７が形成されている。水平部４５は、上方へ開口する略四角筒状に形成されており、垂直部４４の下部が前壁部とされている。図１に示されるように、水平部４５の外周壁部および底壁部は、中空状に形成されている。水平部４５の底壁部の内面には、上下方向へ沿う貫通穴４８が形成されている。これにより、水平部４５の中空状の底壁部の内外が貫通穴４８を介して連通されている。水平部４５の底壁部内面の左右縁部および後縁部には、溝部４９が連続して形成されている。すなわち、水平部４５の底壁部内面には、平面視略コ字形状の溝部４９が上方へ開口して形成されている。
【００３０】
浄水操作部４３は、容器保持部４２の垂直部４４の上端部から前方へ突出して形成されている。この浄水操作部４３は、中空状で平面視略四角形状に形成されており、上面が前方へ行くに従って下方へ傾斜して形成されている。浄水操作部４３の下端部には、浄水の注出口５０が上下方向へ沿う略円筒状に形成されている。
【００３１】
以上のような構成の装置本体４１は、浄水を水浄化装置２の外部へ注出する浄水路５１と、浄水路５１に設けられるポンプ５２と、浄水を加熱するヒータ５３とを有している。浄水路５１は、中空状に形成された装置本体４１の内部に配置されており、上流側端部が水平部４５の中空状の底壁部内に設けられる給水受け５４に接続される一方、下流側端部が装置本体４１に形成された筒状の注出口５０に接続される。ポンプ５２は、水を吸引できるものであればよく、その構成は特に問わない。ヒータ５３は、ポンプ５２よりも下流側の浄水路５１に設けられる。なお、図示しないが、ヒータ５３よりも下流側の浄水路５１には、浄水の温度を検出するための水温センサが設けられる。
【００３２】
次に、本実施例の水浄化装置用容器１とこれを備える水浄化装置２の使用について説明する。本実施例では、まず、前述した水浄化装置用容器１が装置本体４１に設けられる。この際、貯留容器３の下端部に形成された脚部９が水平部４５に形成された溝部４９に差し込まれる。また、貯留容器３に形成された段付き部１１，１２，１０がそれぞれ水平部４５の左壁部、右壁部および後壁部の上端部に載せ置かれると共に、大筒部６の膨出部１５に形成された突出部１６が垂直部４４の段部４６に形成された凹部４７に差し込まれる。従って、水浄化装置用容器１は、装置本体４１に着脱可能に設けられる。水浄化装置用容器１が設置された際、貯留容器３の下端部に形成されたボス部８は、水平部４５に形成された貫通穴４８を介して、水平部４５の中空状の底壁部内に差し込まれる。差し込まれたボス部（排出口３７）８は、給水受け５４を介して浄水路５１と連通される。このようにして、貯留容器３は、排出口３７を介して浄水路５１と連通されており、従来のように浄水の貯留部が設けられていない。
【００３３】
水浄化装置用容器１の設置後、貯留容器３内に原水が貯留される。この際、水質浄化液を原水と共に貯留容器３内に投入するのが好ましい。この水質浄化液は、硫黄、鉄、マグネシウム、カルシウム、マンガンなどの多様なミネラル成分を含んだものであり、原水と共に貯留容器３内に投入することで、前記ミネラル成分が凝縮効果を発揮し、原水中の放射性物質などの不純物の除去効果を高めることができる。なお、図示しないが、水浄化装置２には、貯留容器３内の原水の水位を検出する水位センサが設けられる。本実施例では、水位センサは、フロートセンサとされる。
【００３４】
原水および水質浄化液の投入後、貯留容器３の上端側開口が蓋部１９により閉じられる。そして、ポンプ５２を作動させることによって、貯留容器３内の原水が濾過体４に通されて浄水とされ、この浄水が貯留容器３に形成された排出口３７から浄水路５１を介して水浄化装置２の外部へ排出される。具体的には、本体部２４を介して収容部２１内に透水された原水が濾過材２０およびフィルタ２９に通されて浄水が生成される。生成された浄水は、筒状の導出口２７から筒状の排出口３７を介して、給水受け５４にて受けられた後、浄水路５１を通って注出口５０から注出される。浄水を加熱する際には、ヒータ５３を作動させればよい。なお、給水受け５４は、従来の浄水の貯留部ではなく、生成された浄水を一旦受けるためのものである。
【００３５】
ポンプ５２は、浄水操作部４３の上面に形成された操作表示部５５を操作することで作動する。本実施例では、操作表示部５５は、最も右側に配置される電源ボタン５６と、電源ボタン５６の左側に配置される複数の操作ボタン５７を有している。操作ボタン５７は、右側から順に、押している間は浄水が注出されるフリーボタン５８、浄水を０．５Ｌ注出する０．５Ｌボタン５９、浄水を１Ｌ注出する１Ｌボタン６０、浄水を３Ｌ注出する３Ｌボタン６１とされる。すなわち、０．５Ｌボタン５９、１Ｌボタン６０または３Ｌボタン６１を押すことで、所定量の浄水を注出することができる。浄水を注出する際、水位センサの検出水位が設定以下である場合には、操作ボタン５７を操作しても、ポンプ５２は作動しないようになっている。そのため、前述したように、水浄化装置２には、貯留容器３内の原水の水位を検出する水位センサが設けられる。また、本実施例では、浄水を設定温度に加熱することができる。そのため、前述したように、水浄化装置２には、浄水の温度を検出する水温センサが設けられる。
【００３６】
すなわち、水浄化装置２は、図示しない制御器によって、上述したように制御される。従って、制御器は、ポンプ５２、ヒータ５３、水温センサおよび水位センサなどに接続されており、これらのセンサの検出信号などに基づき、ポンプ５２およびヒータ５３などを制御する。なお、排出口３７には、図示しない逆止弁が設けられる。
【００３７】
本実施例の場合、ポンプ５２の作動により、貯留容器３内の原水が濾過体４により濾過されて、注出口５０から注出することができるので、従来の水浄化装置には設けられていた浄水貯留部をなくすことができる。従って、従来の浄水貯留部にかかるコストを削減することができ、水浄化装置２のコンパクト化を図ることができる。また、浄水貯留部をなくすことで、浄水が長期間貯留された状態がなくなり、衛生的な水浄化装置２とすることができる。
【００３８】
また、本実施例の場合、導出口２７が排出口３７にねじ込まれて、収容部２１が貯留容器３に着脱可能とされているので、濾過体４の交換を容易に行うことができる。さらに、本実施例の場合、ヒータ５３を有しているので、浄水を加熱することができる。浄水を加熱しない場合には、ヒータ５３を作動させなければよく、所望の温度の浄水を得ることができる。
【００３９】
本発明の水浄化装置用容器およびこれを備える水浄化装置は、前記実施例の構成に限らず適宜に変更可能である。たとえば、前記実施例では、取付部材３０と貯留容器３とは別体とされたが、取付部材３０と貯留容器３とを一体形成してもよい。また、前記実施例では、収容部２１内に充填される濾過材２０は、ゼオライトからなる第一濾材２２と、活性炭からなる第二濾材２３とを有していたが、これに限定されるものではなく、たとえば、粉末状の活性炭からなる濾材だけでもよい。この際、収容部２１内には、前述したフィルタ２９が設けられる。
【符号の説明】
【００４０】
１  水浄化装置用容器
２  水浄化装置
３  貯留容器
４  濾過体
２０  濾過材
２１  収容部
２４  本体部（透水部）
２７  導出口
３７  排出口
４１  装置本体
５１  浄水路
５２  ポンプ
５３  ヒータ
【図１】
2019122924.tif 000003
【図２】
2019122924.tif 000004
【図３】
2019122924.tif 000005